(57)【要約】【課題】  光学フィルムを設けても、フィルム観察面の損傷を防止できるフィルム観察装置を提供する。【解決手段】  Ｘ線写真フィルムなどの被観察フィルムを観察するためのフィルム観察装置１において、光源２と、光源２からの光を拡散する拡散板２１と、前記拡散板２１を透過した光に作用するよう配置された光学フィルム２２，２３と、前記光学フィルム２２，２３を覆うとともに、少なくとも前記被観察フィルムが置かれる範囲Ａ１が透明である観察面保護パネル２４と、を備えている。【選択図】      図１
2006119366.tif 000002
【特許請求の範囲】
【請求項１】
Ｘ線写真フィルムなどの被観察フィルムを観察するためのフィルム観察装置において、
光源と、
光源からの光を拡散する拡散板と、
前記拡散板を透過した光に作用するよう配置された光学フィルムと、
前記光学フィルムを覆うとともに、少なくとも前記被観察フィルムが置かれる範囲が透明である観察面保護パネルと、
を備えていることを特徴とするフィルム観察装置。
【請求項２】
前記光学フィルムは、前記拡散板及び前記観察面保護パネルよりも面積が小さく形成されており、
前記拡散板と前記観察面保護パネルとの間の、前記光学フィルム以外の範囲には、スペーサが設けられていることを特徴とする請求項１記載のフィルム観察装置。
【請求項３】
前記観察面保護パネルは、前記光学フィルムよりも、面積が大きく形成されており、
前記観察面保護パネルは、当該観察面保護パネルの面内領域のうち、前記光学フィルムが設けられている範囲に対応する領域は、被観察フィルムを観察するために発光する観察領域とされ、観察領域以外の領域は発光しないように遮光された非観察領域とされていることを特徴とする請求項１又は２記載のフィルム観察装置。
【請求項４】
前記光学フィルムは、フィルム観察装置正面方向への集光特性を有するものであることを特徴とする請求項１〜３のいずれかに記載のフィルム観察装置。
【請求項５】
前記光学フィルムは、その１辺だけが前記拡散板又は観察面保護パネルに固定され、他の辺は固定されていないことを特徴とする請求項１〜４のいずれかに記載のフィルム観察装置。
【請求項６】
請求項１〜５のいずれかに記載のフィルム観察装置において、
当該フィルム観察装置は、被観察フィルムへ照射される光の輝度が１００００ｃｄ／ｍ２以上であるマンモグラフィ用シャウカステン装置として構成されており、
前記前記光源は、被観察フィルムへ照射される光の輝度を少なくとも３０００ｃｄ／ｍ２まで低下させる調光操作が可能である。
【発明の詳細な説明】
【技術分野】
【０００１】
本発明は、Ｘ線写真フィルムを観察するためのシャウカステン等のフィルム観察装置に関するものである。
【背景技術】
【０００２】
フィルム観察装置は、観察対象である被観察フィルムの背後から光を照射して、フィルム上の像を観察するためのものである。
例えば、特許文献１には、拡散板の背後に光源を設けて拡散板を発光させ、発光面となった拡散板の表面にＸ線写真フィルムをおいて、フィルムを観察できる発光装置が記載されている。
特許文献１のものでは、拡散板上に直接、被観察フィルムを置くようになっており、拡散板によって得られた光学特性のままで、発光面が形成されていた。
このようなフィルム観察装置では、フィルム観察面に拡散板しか備えていないため、フィルム観察装置としての輝度が十分でない場合や発光品位が十分でない場合があった。
また、特許文献２には、拡散板の上に集光用の光学フィルムを配置して輝度を高めた発光装置が記載されており、この発光装置はシャウカステンにも用いることができるとされている。
【特許文献１】特開２００４−３９３９４号公報
【特許文献２】特開２００４−６１３９号公報
【発明の開示】
【発明が解決しようとする課題】
【０００３】
しかし、特許文献２の発光装置は、元々、液晶ディスプレイ用であって、光学フィルムを透過した光が、光の被照射体である液晶パネルに直接照射される構造であり、光学フィルム自体は何ら保護されていない。
液晶ディスプレイの場合、製品組立後は、液晶パネルと発光装置とは、固定されており、光学フィルムが外部に露出することはなく、光学フィルムを保護する必要は少ない。
ところが、特許文献２の構成をシャウカステンなどのフィルム観察装置に用いると、光学フィルムがフィルム観察面の最表面に位置し、光の被照射体である被観察フィルムはフィルム観察装置から着脱されるため、被観察フィルムをフィルム観察装置から取り外すと、光学フィルムが露出することになる。
【０００４】
光学フィルムは薄いため、露出していると、光学フィルムが損傷するおそれがあり、光学フィルムの損傷は、フィルム観察面の損傷となって、フィルム観察装置としての価値を低下させる。
よって、特許文献２の構成をそのままフィルム観察装置に採用すると、実用上問題が残る。
そこで、本発明は、光学フィルムを設けても、フィルム観察面の損傷を防止できるフィルム観察装置を提供することを目的とする。
【課題を解決するための手段】
【０００５】
本発明は、Ｘ線写真フィルムなどの被観察フィルムを観察するためのフィルム観察装置において、光源と、光源からの光を拡散する拡散板と、前記拡散板を透過した光に作用するよう配置された光学フィルムと、前記光学フィルムを覆うとともに、少なくとも前記被観察フィルムが置かれる範囲が透明である観察面保護パネルと、を備えていることを特徴とするものである。
本発明によれば、光学フィルムを設けることにより、拡散板を透過した光に対して、輝度上昇や発光品位を整えるなどの光学的作用を与えることができ、フィルム観察面の品位が向上する。
そして、光学フィルムを保護する観察面保護パネルを設け、この観察面保護パネル上に被観察フィルムを置くようにしたため、被観察フィルムの着脱などを行っても、光学フィルムの損傷を防止できる。
【０００６】
前記光学フィルムは、前記拡散板及び前記観察面保護パネルよりも面積が小さく形成されており、前記拡散板と前記観察面保護パネルとの間の、前記光学フィルム以外の範囲には、スペーサが設けられているのが好ましい。
光学フィルムを拡散板及び観察面保護パネルより小さく形成すると、拡散板と前記観察面保護パネルとの間の、前記光学フィルム以外の範囲に隙間が生じるが、当該隙間にスペーサを設けることで、拡散板と観察面保護パネルとが当該隙間によってガタつくのを防止できる。したがって、光学フィルムを小さくして、光学フィルムが必要ない範囲には光学フィルムが存在しないようすることで、高価な光学フィルムの使用量を低減できる。
なお、  光学フィルムが複数枚設けられている場合には、スペーサは、複数枚の光学フィルムの総厚とほぼ等しい厚さであるのが好ましい。
【０００７】
前記観察面保護パネルは、前記光学フィルムよりも、面積が大きく形成されており、前記観察面保護パネルは、当該観察面保護パネルの面内領域のうち、前記光学フィルムが設けられている範囲に対応する領域は、被観察フィルムを観察するために発光する観察領域とされ、観察領域以外の領域は発光しないように遮光された非観察領域とされているのが好ましい。
観察面保護パネルを光学フィルムよりも大きくした場合、光学フィルムが設けられている範囲に対応する領域は、被観察フィルムを観察するために発光する観察領域とし、観察領域以外の領域は発光しないように遮光された非観察領域とすることで、光学フィルムによる輝度上昇や発光品位を整えるなどの光学的作用が生じていない部分の不必要な発光を防止して、観察者の眩しさを低減することができる。
【０００８】
前記光学フィルムは、フィルム観察装置正面方向への集光特性を有するものであるのが好ましい。この場合、正面方向への輝度が上昇し、ＭＲＩフィルムやマンモグラフィ検診におけるＸ線写真フィルムのように、シャウカステンに高い輝度が要求される場合においても、光源数を増やす等の対策をとらなくても輝度を上昇させることができる。
また、フィルム観察面からの光が、無指向性であると、フィルム観察装置の正面にいるフィルム観察者以外に、フィルム観察装置の近くにいる他者に対しても光が照射され、そのような他者に対して不必要に眩しさを感じさせてしまう。特に、高輝度化した場合には眩しさが重要な問題となる。
しかし、上記のように光がフィルム観察装置正面方向への指向性を持つと、フィルム観察者以外の他者が感じる眩しさが低減される。
また、フィルム観察者にとっても、正面方向からある程度離れることで、簡単に眩しさから逃れることができるため、眩しさによる目の疲れを防止できる。
【０００９】
前記光学フィルムは、その１辺だけが前記拡散板又は観察面保護パネルに固定され、他の辺は固定されていないのが好ましい。他の辺を固定せず、フリーにすることで、光学フィルムの膨張・収縮にともなう撓みを防止できる。
【００１０】
また、本発明に係るフィルム観察装置は、被観察フィルムへ照射される光の輝度が１００００ｃｄ／ｍ２以上であるマンモグラフィ用シャウカステン装置として構成されており、前記前記光源は、被観察フィルムへ照射される光の輝度を少なくとも３０００ｃｄ／ｍ２まで低下させる調光操作が可能であることを特徴とする。
マンモグラフィ用シャウカステン装置の場合、被観察フィルムのフィルム濃度が高いため、輝度としては、１００００ｃｄ／ｍ２程度は必要である。
一方、通常のＸ線写真フィルムなどのフィルム濃度の低いフィルムを観察する場合には、３０００ｃｄ／ｍ２程度あれば十分であるが、輝度が１００００ｃｄ／ｍ２以上であると、フィルム濃度の低いフィルムを観察する場合に、輝度が高すぎて、目が疲れやすくなる。このため、マンモグラフィ用シャウカステン装置は、通常のＸ線写真フィルムの観察には実質的に使用できない。
これに対し、被観察フィルムへ照射される光の輝度を３０００ｃｄ／ｍ２まで調光操作可能としておくことで、マンモグラフィだけでなく、濃度の低いフィルムも観察でき、多用途の観察装置とすることができる。
【発明の効果】
【００１１】
光学フィルムを保護する観察面保護パネルを設け、この観察面保護パネル上に被観察フィルムを置くようにしたため、被観察フィルムの着脱などを行っても、光学フィルムの損傷を防止でき、ひいてはフィルム観察面の損傷を防止できる。
【発明を実施するための最良の形態】
【００１２】
以下、本発明の実施形態を図面に基づいて説明する。
図１〜図６は、フィルム観察装置の一例としてのシャウカステン装置の第１実施形態を示している。このシャウカステン装置（以下、単に「シャウカステン」ともいう）１は、光源２等が内部に設けられたケーシング３を備えている。ケーシング３は、矩形状の背面部３ａと、背面部３ａの各辺から正面側へ立設された側面部３ｂとを有して、正面側が矩形状に開口している。ケーシング３の側面部３ｂの正面側には、前記正面側開口を塞ぐように、正面パネル構造体５が取り付けられている。正面パネル構造５が設けられているシャウカステン正面部は、その一部領域Ａ１がＸ線写真フィルム等の被観察フィルムを観察するための観察領域（フィルム観察面）となっている。観察領域Ａ１は光源２からの光によって発光し、この観察領域Ａ１に被観察フィルムを置くことで、被観察フィルムをクリアに観察することができる。
【００１３】
なお、ケーシング３には、シャウカステン正面側が、医師等のフィルム観察者と対向するように、シャウカステン１を卓上等で縦置き状に自立させるための支持脚部６が設けられている。この支持脚部６は、縦置きしたシャウカステン１の下部左右両側に取り付けられており、正面側と背面側に延びる延設部６ａ，６ｂを備えて、シャウカステン１を卓上で安定的に立てることができる（図３参照）。
【００１４】
図２に示すように、ケーシング３内部には、複数の光源２を備えた光源装置（ランプキット）８が設けられている。光源装置８は、冷陰極管ランプからなる複数の線状光源２を、それらの長手方向両端で保持するとともに、光源２の背後に位置して光源２からの光を正面側へ反射する反射板９を有しており、この光源装置８全体をケーシング３（の背面部３ａ）に対して着脱できるように、光源装置８はケーシング３に対してネジ等で取り付けられている。
したがって、光源２が劣化した場合には、光源装置８ごと交換すればよく、光源２を一本ずつ交換する場合に比べて、交換作業が容易になっている。
また、矩形状反射板９の４辺には、光源２の光が、ケーシング内部の光源装置８以外の領域に漏れるのを防止して、光を有効活用するための側面部１０，１１が設けられている。４つの側面部１０，１０，１１，１１のうち、光源２長手方向両端に位置する側面部１０，１０は、光源２の保持部も兼ねており、光源２と平行な側面部１１，１１は、光の反射面となっている。
【００１５】
光源装置８は、ケーシング３の内部全体に位置しているのではなく、縦置き状態のケーシング３内部の上方側に偏って位置している。これにより、ケーシング３内部の下方範囲に、光源２の点灯装置（インバータ装置）１２や電源装置１３などの回路を配置するためのスペースが確保されている。比較的重量の大きい電源装置１３などをケーシング３下方に配置することで、縦置き状態での安定性が高まる。なお、ケーシング３の下方範囲には、光源装置８の交換方法を説明した説明ラベル１４が貼り付けられている。
【００１６】
図３に示すように、ケーシング３の左側の側面部３ｂ（図１の右側）には、光源２の輝度を変更してフィルム観察面Ａ１の明るさを調節するための調光ボリューム（調光操作部）１６と、電源スイッチ１７が設けられている。
調光ボリューム１６は、図示しない配線を介して、点灯装置１２に接続されており、点灯装置１２から光源２に供給される電力をＰＷＭ方式等によって制御することによって、光源２の光の強弱を変更でき、観察面Ａ１における輝度を調節できる。
また、縦置き状態のシャウカステン１上部には、フィルム固定具１９が設けられている。フィルム固定具１９は、下方に開口したフィルム差込口１９ａを有しており、この差込口１９ａから被観察フィルムを差し込むと、フィルム固定具と正面パネル構造体５とによって、被観察フィルムを挟持することができる。
【００１７】
前記正面パネル構造体５は、図４にも示すように、光源２からの光を拡散する拡散板２１を備えている。この拡散板２１の正面側（観察者側）には、光学フィルム２２，２３が配置されている。光学フィルム２２，２３のさらに正面側には、観察面保護パネル２４が配置され、光学フィルム２２を覆って保護している。
正面パネル構造体５は、ネジ３５等によって、ケーシング３の正面開口部を覆うようにケーシング３に取り付けられる（図４参照）。なお、ケーシング３の側面部３ｂには、正面パネル構造体５を取り付けるためのネジ孔２７が形成されている（図２参照）。
【００１８】
拡散板２１は、矩形状に形成されており、アクリル又はガラス製の乳半板が用いられており、光源２のランプイメージを緩和している。また、拡散板２１は、ケーシング３の正面開口部全体を覆うことができる大きさを有している。なお、拡散板２１は、ケーシング３のネジ孔２７に対応した位置にネジ孔２１ａを有している。
光学フィルム２２，２３は、２枚用いられており、具体的には、拡散フィルム２２と、プリズムフィルム２３とが用いられている。これらの光学フィルム２２，２３は、光をシャウカステン正面方向へ集光させて輝度を上昇させるために用いられている。
拡散フィルム２２は、拡散板２１の表面に配置されており、拡散板２１を透過した光の輝度の均一化を更に図ることができ、また正面輝度の上昇も図ることができる。プリズムフィルム２３は、プリズム突条が線状光源２と平行となるように向けられて、拡散フィルム２３の正面側に重ねて配置されている。プリズムフィルム２３は、プリズム面を正面側に向けて配置されており、正面方向へ集光して正面輝度を上昇させることができる。
【００１９】
観察面保護パネル２４は、拡散板２１と同じ大きさに形成されており、被観察フィルムが置かれる表面をハードコート処理したアクリル、ポリカーボネート、ガラスなどの透明板からなっており、このパネル２４が正面パネル構造体５の（正面側の）最表面の部材となっており、光学フィルム２２，２３の他、拡散板２１も保護している。
また、パネル２４は、ケーシング３のネジ孔２７に対応した位置にネジ孔２４ａを有している。
パネル２４には、図１及び図５においてクロスハッチで示す範囲に印刷が施され、非観察領域となる遮光面Ａ２が形成されている。また、パネル２４の印刷されていない領域は光が透過して発光することができる発光面Ａ１とされている。具体的には、遮光面Ａ２は、発光面Ａ１を除く範囲に黒色のベタ印刷を施すことにより形成される。印刷を施す面は、パネル２４の裏面が好ましいが、表面でもよく、両面でもよい。
【００２０】
発光面Ａ１は、被観察フィルムを観察するための観察領域であり、光源装置８にほぼ対応した領域（図１に示すように、観察領域Ａ１の方が光源装置８よりもやや小さい）に位置するように、パネル２４の上側寄りであって、左右両側に非観察領域Ａ２が位置している。すなわち、遮光面Ａ２は、発光面Ａ１の上下左右の四方に額縁状に形成されており、発光面Ａ１の下側にある遮光面は、やや広めに形成されている。なお、発光面Ａ１の上側には遮光面を設けなくても良い。
【００２１】
このように、観察面保護パネル２４は、光学フィルム２２，２３を保護するだけでなく、観察領域Ａ１と非観察領域Ａ２とを区画し、さらに、観察領域である発光面Ａ１以外の範囲に印刷が施されていることにより、化粧板としての役割も果たしている。したがって、発光面Ａ１の周囲に額縁状に位置させるフレーム部材がなくても、正面開口を有するケーシング３に正面パネル構造体３を取り付けるだけで、発光面Ａ１の周囲に額縁状の枠範囲（非観察領域Ａ）が形成され、点灯装置１２等のケーシング３内部の部材を隠蔽することができる。
【００２２】
前記光学フィルム２２，２３は、前記パネル２４よりも小さく、観察領域Ａ１に対応した位置に、当該観察領域Ａ１とほぼ大きさ（観察領域Ａ１よりもやや大）に形成されている。また、光学フィルム２２，２３の位置と大きさは、光源装置８の位置と大きさにも対応している。
すなわち、パネル２４は、ケーシング３の正面開口全体を塞ぐことができるように大きく形成されているが、比較的高価な光学フィルム２２，２３は、観察領域Ａ１に対応して小さく形成されており、光源装置８から照射され観察領域Ａ１を発光させるための光に光学的作用を与えるための最低限必要な大きさに抑えられている。
なお、光学フィルム２２，２３は、コストをさほど考慮しない場合、観察領域Ａ１よりも十分に大きくしてもよい。
【００２３】
拡散板２１と観察面保護パネル２４は、同じ大きさに形成されており、これら２１，２４よりも小さい光学フィルム２２，２３は、拡散板２１と観察面保護パネル２４によって挟まれる（図４参照）
ここで、光学フィルム２２，２３は、スペーサシート（以下、単に「スペーサ」ともいう）３０とともに、拡散板２１と観察面保護パネル２４によって挟まれる。
図５（ａ）に示すように、スペーサ３０は、拡散板２１又はパネル２４の平面形状から、光学フィルム２２，２３の位置する範囲Ｂを除去した形状とされている。具体的に図５（ａ）では、スペーサ３０は、光学フィルム２２，２３の下側に位置する下部範囲３０ａと、光学フィルム２２，２３の側方（図５（ａ）の正面視では左側）に位置する側部範囲３０ｂと、光学フィルム２２，２３の上側に位置する上部範囲３０ｃとを有して、横向きＵ字状に形成されており、各範囲３０ａ，３０ｂ，３０ｃに囲まれた領域が光学フィルム用領域Ｂとなっている。
【００２４】
光学フィルム２２，２３は、スペーサシート３０の前記領域Ｂに位置するようにスペーサシート３０とともに、前記拡散板２１とパネル２４の間に挟まれる。このスペーサシート３０は、二枚の光学フィルム２２，２３の厚さにほぼ対応した厚みを有しており、光学フィルム２２，２３が存在しない範囲でも、拡散板２１とパネル２４との間に隙間が生じないようにしている。また、スペーサシート３０によって、拡散板２１とパネル２４の間で、光学フィルム２２，２３の位置決めを行うことができる。
さらに、拡散板２１とパネル２４をケーシング３にネジ止めする際に、ネジ止めの付近で拡散板２１とパネル２４の間に隙間があると、がたつき等が生じるおそれがあるが、拡散板２１とパネル２４の間にスペーサ３０を介在させることで、安定的に固定できる。
そして、拡散板２１とパネル２４との間の隙間がスペーサシート３０で塞がれているから、正面パネル構造体５内部に粉塵等が侵入するのが防止されている。
【００２５】
光学フィルム２２，２３とスペーサシート３０には、ケーシング３のネジ孔２７に対応した位置にネジ孔２２ａ，３０ｄが形成されている。図５（ａ）に示すように、光学フィルム２２，２３は、その一辺だけにしか、ネジ孔２２ａが設けられておらず、この一辺だけが拡散板２１及びパネル２４に対して固定され、光学フィルム２２，２３の他の３辺は、非固定の自由辺となっている。このように、光学フィルム２２，２３を一辺だけで固定すると、熱等による光学フィルム２２，２３の膨張・収縮などが生じても、光学フィルム２２，２３の撓みが生じにくく、観察面の品位を良好に保つことができる。
なお、光学フィルム２２，２３の一辺だけを固定辺とし、他の辺を自由辺とするには、例えば、光学シート２２，２３の一辺だけを、拡散板２１又はパネル２４に対して、両面テープ等で固定することによってもよい。
【００２６】
拡散板２１、光学フィルム２２，２３、スペーサシート３０、パネル２４は、各ネジ孔２１ａ，２２ａ，３０ｄ，２４ａの位置を一致させて重ね合わせることで、正面パネル構造体５を構成し（図５（ｂ）参照）、この正面パネル構造体５をネジ３５でケーシング３に止めることで、拡散板２１とパネル２４が光学フィルム及びスペーサ３０を挟んだ状態を維持しつつ、ケーシング３への固定が行える（図５（ｃ）参照）。
【００２７】
図６は、第１実施形態に係るシャウカステン１における出射光の向きを示している。なお、図６は、シャウカステン１を上方から見た図であり、図６の上下方向は、シャウカステン１の左右方向に相当する。
このシャウカステン１では、光学フィルム２２，２３によって正面方向Ｌ１へ集光され、正面方向の輝度が上昇する。したがって、このシャウカステン１は、ＭＲＩフィルム又はマンモグラフィ検診におけるフィルムのように高い輝度が要求されるフィルムの観察用として好適である。
【００２８】
マンモグラフィ検診等に使えるように、観察面Ａ１の正面方向の輝度は、１００００ｃｄ／ｍ２以上となるように設定されており、より好ましくは、１５０００ｃｄ／ｍ２となる  また、観察面Ａ１の輝度は、調節可能であり、ここでは、調光ボリューム１２の操作によって、３０００ｃｄ／ｍ２〜１６０００ｃｄ／ｍ２の範囲で任意の輝度に調節することができる。また、調光可能範囲の下限としては、２５００ｃｄ／ｍ２とするのがより好ましく、調光可能範囲の上限としては、３００００ｃｄ／ｍ２とするのがより好ましい。
調光により、輝度を１００００ｃｄ／ｍ２以上とした場合には、マンモグラフィ、ＭＲＩ、カラー画像のフィルムなどフィルム濃度の高い被観察フィルムの観察を正確に行うことができる。また、輝度を３０００ｃｄ／ｍ２程度まで落とした場合には、フィルム濃度がさほど高くない通常のＸ線写真フィルムを観察するのに適した輝度となる。
【００２９】
また、輝度を上昇できる光学フィルム２２，２３を使用しているため、光源２の数を増やしたり、出力の高い光源２を使用したりしなくても、シャウカステン１の輝度を上げることができ、コスト上昇、消費電力増大、装置の大型化を回避できる。
具体的には、光源２の本数を増やす必要がないため、コスト上昇を避けられるとともに消費電力の増大が避けられる。また、出力の高い光源２を使用しなくてもよいことからも消費電力の増大が避けられる。しかも、消費電力が増大しないため、温度上昇を抑えられる。
ここで、光源からの発熱が大きくなると、観察面Ａ１の温度が上昇してしまい、フィルム観察装置では、観察面Ａ１の近くで被観察フィルムの抜き差しを行うため、観察面Ａ１の温度上昇は、被観察フィルムの抜き差しを困難にする。これを回避しようとすると、光源と観察面Ａ１を離して、熱の影響を小さくすることになるが、光源と観察面Ａ１を離すと、装置の大型化を招く。
これに対し、本実施形態のシャウカステン１によれば、光源からの発熱を抑えられることから、装置を薄型化しても、観察面Ａ１の温度上昇を抑えられる。
【００３０】
上記シャウカステン１では、正面方向の輝度が高いかわりに、正面方向以外の方向の輝度が抑えられ、観察者（明るい光が必要な人）Ｅ１以外の人のまぶしさが軽減される。すなわち、図６のＬ２，Ｌ３方向にいる非観察者Ｅ２，Ｅ３の感じる眩しさが少なくなる。また、観察者Ｅ１も、観察面Ａ１に被観察フィルムがないときなど、観察面Ａ１からのまぶしさを感じるときには、観察面Ａ１の垂直方向から一定の角度以上の位置（Ｅ２，Ｅ３）に立つだけで、眩しさが軽減されるため、高輝度化したことによる目の疲れを低減できる。
このことは、本実施形態のように、観察面Ａ１の輝度を１００００ｃｄ／ｍ２以上（好ましくは、１５０００ｃｄ／ｍ２以上）として、被観察フィルムがなければ、人の目にとって非常に眩しくなる程の輝度を確保している場合に、特に有益である。
しかも、本実施形態では、観察者が正面方向以外の方向（斜め方向）に移動すると、調光可能な輝度範囲の下限（３０００ｃｄ／ｍ２）よりも更に輝度が小さくなるように正面方向に集光しているため、調光ボリューム１２を操作しなくとも、調光ボリューム１２を操作した以上の眩しさ低減効果が得られる。
【００３１】
図７は、第２実施形態に係るシャウカステン１を示している。第２実施形態が第１実施形態と異なる点は、光学フィルム２２，２３及びスペーサシート３０の形状である。ここでの光学フィルム２２，３３は、対向する２辺でねじ止めができるように、第１実施形態のものよりも、大きめに形成されており、スペーサシート３０はその分小さく形成されている。
なお、第２実施形態において説明を省略した点は、第１実施形態と同様である。
【００３２】
本発明は、上記実施形態に限定されるものではない。
例えば、スペーサ３０は、シート状に形成されていなくてもよく、光学フィルム２２，２３以外の範囲で、拡散板１とパネル２４の間隔を保持できるものであれば足りる。また、スペーサ３０は、単一の部材によって形成されている必要はなく、複数の部材の組み合わせであってもよい。
【図面の簡単な説明】
【００３３】
【図１】第１実施形態に係るシャウカステンの正面図である。
【図２】ケーシング内部を示す正面図である。
【図３】シャウカステンの側面図である。
【図４】正面パネル構造体の断面図である。
【図５】正面パネル構造体の組立図である。
【図６】シャウカステンの出射光の方向を示す平面図である。
【図７】第２実施形態に係るシャウカステンにおける正面パネル構造体の組立図である。
【符号の説明】
【００３４】
１  シャウカステン（フィルム観察装置）
２  光源
５  正面パネル構造体
２１  拡散板
２２  光学フィルム
２３  光学フィルム
２４  観察面保護パネル
Ａ１  観察面（観察領域）
Ａ２  遮光面（非観察領域）
【図１】
2006119366.tif 000003
【図２】
2006119366.tif 000004
【図３】
2006119366.tif 000005
【図４】
2006119366.tif 000006
【図５】
2006119366.tif 000007
【図６】
2006119366.tif 000008
【図７】
2006119366.tif 000009